(57)【要約】      （修正有）【課題】直接、手で揺らさなくても音が鳴る新規鈴装置を提供する。【解決手段】揺れると音が鳴る発音体と、発音体を載置するための受け台を有する。受け台は端部を押すと傾くように側部に斜面部を有し、発音体は作用体２６に当たる風の力で揺れるパターン、手等で作用体２６に軽く触れるパターンの他に、受け台の端部を押し下げるパターンにより音が鳴る。【選択図】図１
2018092110.tif 000002
【特許請求の範囲】
【請求項１】
揺れると音が鳴る発音体と、
前記発音体を載置するための受け台を有し、
前記受け台は端部を押すと傾くように側部に斜面部を有することを特徴とする鈴装置。
【請求項２】
前記発音体はベース部と、当該ベース部の上部に直接又は間接的に支持されたりん部と、当該りん部の内側であって当該ベース部に転動可能に載置した転動体を有することを特徴とする請求項１記載の鈴装置。
【請求項３】
前記ベース部の下部は下側に向けた凸面部となっていることを特徴とする請求項２記載の鈴装置。
【発明の詳細な説明】
【技術分野】
【０００１】
本発明は、軽く揺らすだけで音が鳴る鈴装置に関する。
【背景技術】
【０００２】
従来から受風体が風の力で揺れて音が鳴る、いわゆる風鈴がある。
また、手で揺らすことで音が鳴る各種鈴が提案されている。
例えば特許文献１には手で揺らす替わりに、センサーが風を感知すると、それを電気信号に変換し、球状体を載せた皿部が動き、この球状体が釣鐘部材に衝突し、音が鳴る電子風鈴を開示する。
しかし、このような電子風鈴は構造が複雑であり、趣に欠けるものである。
【先行技術文献】
【特許文献】
【０００３】
【特許文献１】実用新案登録第３１２１６７２号公報
【発明の概要】
【発明が解決しようとする課題】
【０００４】
本発明は、直接、手で揺らさなくても音が鳴る新規鈴装置の提供を目的とする。
【課題を解決するための手段】
【０００５】
本発明に係る鈴装置は、揺れると音が鳴る発音体と、前記発音体を載置するための受け台を有し、前記受け台は端部を押すと傾くように側部に斜面部を有することを特徴とする。
ここで受け台は、発音体を揺動可能に載置できる台をいい、受け台の側部に斜面部を設けたのは、受け台の端部を指等にて軽く押し下げると斜面部に沿ってこの受け台が傾き、この指等を離すと受け台が元の状態に戻ることをいう。
これにより、発音体に直接触れなくても受け台の端部を軽く押し下げるだけで、発音体が揺れ、音が鳴ることになる。
【０００６】
本発明において発現体は、揺れると音が鳴るものであれば構造上の制限がない。
例えば、前記発音体はベース部と、当該ベース部の上部に直接又は間接的に支持されたりん部と、当該りん部の内側であって当該ベース部に転動可能に載置した転動体を有する態様が例として挙げられる。
【０００７】
ここで、ベース部は転動体の転がり面を有し、転動体が転がり、りん部に衝突し、音が鳴るように鳴っている。
りん部は転動体が当たると、音が鳴りやすいように支持されていれば、ベース部に支持部材で直接支持されている形態のみならず他の部材を介して間接的に支持されていてもよい。
転動体は、ベース部が揺れると転がるものであれば形状及び材質に制限はない。
転がりやすいものとしては、球状体が好ましい。
ベース部は転動体が転がるとともに、外に落下しないようになっている。
例えばベース部の上部に下が開口したお椀形状又は球面体形状のりん部を配置してもよく、転動体の転がり面を凹部形状にしてもよい。
【０００８】
本発明において、前記ベース部の下部は下側に向けた凸面部となっていてもよい。
このようにすると、受け台が元の状態に戻った後にも発音体が揺動する。
【発明の効果】
【０００９】
本発明に係る鈴装置は、発音体を直接揺らさなくても指等で軽く受け台の端部を押し下げて離すだけで、受け台に載置してある発音体が揺れるので音が鳴る。
もちろん、発音体を直接手で触れたり、風等にて揺らすようにしてもよいが、このように受け台を一旦傾けるだけで、その元に戻る動きにて発音体が揺れる。
このような指等で軽く押し下げる動作は自然であり、所作が美しく、上品に音を鳴らすことができる。
指等にて受け台の端部を押し下げると、その逆方向に戻る力が生じるので、押し下げ加減の調整が容易である。
また、このように受け台の端部を指等で軽く押し下げる動作で音が鳴ることから、必ずしも発音体を直接手で触れる必要がないので、発音体が手垢等で汚れることがなく、長く綺麗な状態で使用できる。
本発明に係る鈴装置は、発音体を受け台に載置するだけの簡便な構成であるため、鈴装置の置場所をずらしたり、受け台を置場所に合せて取り替える等、フレキシブルに対応できる。
発音体から出る鈴音以外の例えば、こすれ音等が出ないように受け台側で調整したり、逆にこすれ音等を本装置を載置したテーブル等に響かせるように振動伝達機能を付加することもできる。
【図面の簡単な説明】
【００１０】
【図１】本発明に係る鈴装置の構造例を示す（第１の実施例）。（ａ）は全体図、（ｂ）は発音体及び受け台の断面図を示す。
【図２】本発明に係る鈴装置の第２の実施例を示す。（ａ）は全体図、（ｂ）は要部の拡大図を示す。
【図３】第３の実施例を示し、（ａ）は全体図、（ｂ）は断面図を示す。
【図４】第４の実施例を示し、（ａ）は全体図、（ｂ）は断面図を示す。
【図５】第５の実施例を示し、（ａ）は全体図、（ｂ）は断面図を示す。
【図６】第６の実施例を示し、（ａ）は全体図、（ｂ）は断面図を示す。
【発明を実施するための形態】
【００１１】
本発明に係る鈴装置の例を以下、図面に基づいて説明するが、本発明は本実施例に限定されない。
【００１２】
図１に第１の実施例を示す。
図１（ａ）は全体図、（ｂ）は要部の断面図を示す。
本発明に係る鈴装置は受け台１０と、その上に載置した発音体２０からなる。
発音体２０は、重心が下部になるように相対的に重量があるベース部２１の中央部に形成した立ち上げ部２１ｃに支持部材２３を螺着し、この支持部材２３に下側が開口した略球面体状のりん部２２を保持させてある。
りん部２２の開口端とベース部との間には隙間を有する。
本実施例は、羽状の作用体２６を着脱自在に差し込むことができる取付部材２５にてりん部を支持部材２３に押圧保持させてある。
ベース部２１は、立ち上げ部２１ｃの周囲にドーナツ形状の凹部（転がり面）２１ａを形成し、略球状体からなる転動体２４を載置してある。
転動体２４は球形状であり、りん部２２の内側に当たり音が鳴る。
転動体２４は、ベース部２１の上面側の凹部２１ａに沿って転がるとともに、ベース部２１の上部に配置したりん部２２にて転動体２４が外側に落下しないようになっている。
また、ベース部２１の下部の２１ｂの下面は下に向けた球面状の突形状であり、重心部が下部にあることから起き上がりこぼしのようにゆれる。
これにより、発音体２０が揺れると転動体２４が凹部２１ａに沿って、転がり、りん部２２に当たることで音が鳴る。
【００１３】
受け台１０は上面側の平面状の載置部１１と平坦な底部１２を有し、側部は斜面部１３になっている。
これにより、図１（ａ）に示すように受け台２０の端部を指等でｆの方向に軽く押し下げると、側部が底部側に縮径した斜面部１３になっているので受け台１０が傾き、指を離すと底部１２が平坦になっているので水平状態の元の状態に戻る。
これにより、図２（ａ）に示すように発音体が揺れ、音が鳴る。
なお、図２は第２の実施例を示し、図１に示した第１の実施例では、載置面１１が平面形状であるのに対して、図２に示した第２の実施例は載置面の外周部に沿ってリング状の突部（リブ）１１ａを形成した例となっている。
ここで作用体２６は羽根形状以外に各種デザインのものを採用することができ、このようにすると発音体２０は作用体に当たる風の力で揺れるパターン、手等で作用体に軽く触れるパターンの他に、受け台１０の端部を押し下げるパターンにより音が鳴る。
【００１４】
図３に第３の実施例を示す。
受け台１０は平面視で略方形になっている例であり、受け台１０は各種形状のものを採用することができる。
図３に示した第３の実施例では、載置部１１が凹部形状であり、四方の端部のうち少なくとも一片の端部は裏面側が中央の平坦な底部１２に向けて傾斜した斜面部１３になっている。
発音体２０は、ベース２１の転がり面が球面状の凹部２１ａになっていて、ベース部２１の端部とりん部２２の端部とを支持部材２３で連結してある。
また、ベース部２１の凹部２１ａには転動体２４が載置されている。
【００１５】
図４に第４の実施例を示す。
平面状で方形形状の受け台１０の載置部１１を平坦面にした例であり、発音体２０はベース部２１と通気性のあるカバー部２７とを連結し、りん部２２をベース部２１に対して間接的に支持した。
カバー部２７には、棒状のつまみ部２８を有する。
本実施例はベース部２１の下部２１ｂを凸面形状にした例である。
これにより、受け台１０の端部を指で押し下げ、その後に離すと発音体２０が受け台１０の上でそのまま揺れるので、長く音が出る。
【００１６】
図５に第５の実施例を示す。
本実施例は、転動体を有しない発音体の例である。
上部が開口したりん形状のベース部３０の底部３０ａから、弾性ワイヤーにて立設した複数の作用体２６を有し、このワイヤーの途中に小さなりん３１を有する。
これにより作用体２６が揺れると、小さなりん３１同士が当たり音が鳴る。
【００１７】
図６に第６の実施例を示す。
発音体として、下側が開口したりん部２２の内側に打りん体２４ａを紐等にて吊り下げた例である。
【符号の説明】
【００１８】
１０    受け台
１１    載置部
１２    底部
１３    斜面部
２０    発音体
２１    ベース部
２２    りん部
２４    転動体
【図１】
2018092110.tif 000003
【図２】
2018092110.tif 000004
【図３】
2018092110.tif 000005
【図４】
2018092110.tif 000006
【図５】
2018092110.tif 000007
【図６】
2018092110.tif 000008